(57)【要約】　　　（修正有）【課題】自動的に気体を患者が必要とする輸液加圧バッグ内に注入し、バッグ内の輸液流量を安定させ患者の安全を確保する。【解決手段】機械部６、カバー７、固定部材８から成り、機械部内に送気バルブ６１、圧力器６２、圧力ゲージ、送気コネクタメス部６４及び調節ダイヤルを設け、送気バルブ６１の一端を送気コネクタメス部に連結し、別の一端を送気管コネクタ６８に連結し、一側は送気管を経て圧力ゲージに接続し、別の一側は送気管を経て圧力器に接続して、所定気圧に設定維持し、前側に調節ダイヤルを形成して流入する気体圧力を調節する。固定部材の一側を所定位置に固定し、送気プラグ８３を設けて室内に設けられた送気ソケットに挿入し、気体が送気コネクタオス部を経て送気コネクタメス部内に流入するようにする。【選択図】図２
0003100415.tif 000002
【実用新案登録請求の範囲】
【請求項１】
　固定式自動輸液加圧器は、
　機械部を具え、内部に空気バルブ、圧力器、圧力ゲージ及び送気コネクタメス部を設け、送気バルブの一端を送気コネクタメス部に連結し、別の一端を送気管コネクタに連結し、送気管コネクタは送気管を通じて輸液加圧バッグに接続し、その一側は送気管を通じて圧力ゲージに接続して気圧数値を表示し、別の一側は送気管を通じて圧力器に接続して、設定した一定気圧に調節維持し、別の一面に調節ダイヤルを形成して送気バルブを調節して流入する気体圧力を制御し、機械部の背面の適当な位置に係合部を設け、係合部上にネジ孔を設けてカバーをネジ固定するようにし、
　カバーを具え、ネジ固定部材によって上記機械部背面に係合し、中央の適当な箇所に孔を設けて上記機械部内の送気コネクタメス部に対応させ、
　固定部材を具え、その一側に送気コネクタオス部を設け、カバーの孔を通って機械部内の送気コネクタメス部に回し込み接続し、固定部材下側に接続管を接続し、その接続管の一端に送気プラグを設け、送気ソケットに接続して気体が接続管、送気コネクタオス部を通じて送気コネクタメス部内に注入するようにし、固定部材の別の一側を装着面として、装着面の二側辺から延伸してスライダを形成し、スライド式固定器のレール上に嵌入するようにし、
　スライド式固定器を具え、その中間の適当な箇所に収容部を形成して固定部材の装着面を挿入し、スライド式固定器の二側辺から内側に彎曲してレールを形成し、上記のスライダ嵌入に供し、底部から外向きに延伸してストッパを形成して装着面を制止できるようにし、
　上記の構造によって輸液加圧バッグ内に注入する送気圧を定圧に保持し、輸液加圧バッグ内の安定した輸液流量を確保して成ることを特徴とする固定式自動輸液加圧器。
【請求項２】
　送気コネクタメス部及び送気コネクタオス部上にそれぞれ対応するネジ溝とネジ山を設けて、相互に回し込み接続するようにして成ることを特徴とする請求項１記載の固定式自動輸液加圧器。
【請求項３】
　送気バルブ下方に設ける送気管コネクタの一側にバルブ開閉器を設けて、送気バルブ内の気体の、輸液加圧バッグ内への送気を開閉するようにして成ることを特徴とする請求項1記載の固定式自動輸液加圧器。
【請求項４】
　送気バルブ下方に設ける送気管コネクタに送気管を連結し、その送気管末端に一対二、一対三、一対四などの多分岐ジャンクションを接続して、気体を複数の病床の輸液加圧バッグ内に注入し、多数バッグ同時使用を可能として成ることを特徴とする請求項１記載の固定式自動輸液加圧器。
【請求項５】
　固定部材下に設ける送気プラグの一側に送気開閉器を設けて、気体の流入を開閉するようにして成ることを特徴とする請求項１記載の固定式自動輸液加圧器。
【請求項６】
　輸液加圧バッグ上方に独立圧力ゲージを設置して機械部内に設ける圧力ゲージと同じ気圧数値を表示させ、機械部内の圧力ゲージによって独立圧力ゲージの送気圧力数値を監視制御できるようにして成ることを特徴とする請求項１記載の固定式自動輸液加圧器。
【請求項７】
　圧力器の一端にノブを設け、圧力器の漏気率を調整するようにして成ることを特徴とする請求項１記載の固定式自動輸液加圧器。
【考案の詳細な説明】
【技術分野】
【０００１】
　本考案は固定式自動輸液加圧器に関し、特に公知の手動式圧迫輸液加圧器を自動輸液加圧器に改め、輸液加圧バッグ内の輸液流量安定と患者の安全を確保する固定式自動輸液加圧器に関する。
【背景技術】
【０００２】
　図１に示すように、公知の輸液加圧バッグ１は独立圧力ゲージ２の下方に接続され、輸液加圧バッグ１の適当な箇所に接続管３を接続し、接続管３の一端と送気管４の一端とを連結し、送気管４の別の一端を輸液加圧器５の送気管コネクタ５１に接続する。患者に点滴或いは輸血をおこなう際、点滴液或いは血液の入った輸液バッグを輸液加圧バッグに挿入装填し、この時輸液加圧バッグ１と独立圧力ゲージ２を一緒にハンガーに吊り下げてから、輸液加圧器５の送気管コネクタ５１に送気管４を接続し、手動で輸液加圧器５を圧迫して輸液加圧器５内の気体を、送気管４、接続管３を通じて輸液加圧バッグ１内に注入し、バッグ内の点滴液或いは血液をゆっくり流動させて患者の体内に流入させる。
【０００３】
　上述の手動圧迫式輸液加圧器では、輸液加圧バッグ内の輸液を流動作用させることはできるが、以下の欠点がある。
（１）手動圧迫式輸液加圧器は、輸液加圧器内の送気圧力の大小を制御しにくいため、輸液加圧バッグ内の輸液流量が不安定になり、患者の生命の安全に支障が出やすい。
（２）一般の輸液加圧バッグ内の輸液は送気圧力不足の時には、輸液流動が緩慢になったり流動が停滞したりするため、医療人員は再度手動で輸液加圧器を圧迫して送気圧力を増強し、輸液加圧バッグ内の輸液を正常に流動或いは継続して流動させなければならない。医療人員はたびたび巡回しなければならず、医療人員の不便を招く上、医療人員の人的資源浪費となる。
（３）公知の手動圧迫式輸液加圧器は、使用後取り外して保管し、再使用時に装着しなおす必要があり、度重なる着脱は医療人員が使用上不便であるだけでなく、衝撃や着脱により損壊しやすい。
【考案の開示】
【考案が解決しようとする課題】
【０００４】
　機械部、カバー、固定部材及びスライド式固定器により構成する固定式自動輸液加圧器を提供し、輸液加圧バッグ内に流入する送気圧力を定圧に保ち、患者が必要とする輸液加圧バッグ内の輸液流量を安定させ、医療人員の看護時間と人的資源を節約し、公知の手動圧迫式輸液加圧器の欠点と不便を解決することを課題とする。
　機械部内に設ける圧力ゲージにより、輸液加圧バッグ上方に設置する独立圧力ゲージの数値を監視制御することをもうひとつの課題とする。
　固定式自動輸液加圧器の気体を同時に複数の病床の輸液加圧バッグ内に注入し、バッグ内の輸液流量を安定させ、且つ固定式設置、省スペースで、衝撃や着脱による損壊の確率を減少することをもうひとつの課題とする。
【課題を解決するための手段】
【０００５】
　本考案の固定式自動輸液加圧器は、主に機械部、カバー、固定部材及びスライド式固定器から成る。機械部内には、送気バルブ、圧力器、圧力ゲージ、送気コネクタメス部及び調節ダイヤルを設け、送気バルブの一端を送気コネクタメス部に連結し、別の一端を送気管コネクタに連結する。送気管コネクタは、送気管を通じて輸液加圧バッグに接続され、その一側は送気管を通じて圧力ゲージに接続して気圧数値を表示し、別の一側は送気管を通じて圧力器に接続して設定した一定気圧に調節維持する。また、前側に調節ダイヤルを形成して、送気バルブを調節して流入する気体圧力を制御する。機械部背面の適当な位置に係合部を設け、係合部上にネジ孔を設けて、カバーをネジで係合固定できるようにする。
【０００６】
　固定部材の一側に送気コネクタオス部を設け、カバーの穴を通して機械部内に設ける送気コネクタメス部に挿入接続し、また固定部材下側に接続管を接続し、接続管の一端に送気プラグを設け、送気ソケットに接続するようして、気体が接続管、送気コネクタオス部を通って送気コネクタメス部へ注入されるようにする。
　固定部材の別の一側に装着面を形成し、装着面の二側辺から延伸してスライダを形成し、スライド式固定器のレール上に嵌入させる。スライド式固定器の中間の適当な箇所に収容部を形成し、固定部材の装着面を挿入固定する。スライド式固定器の二側辺から内側に彎曲してレールを形成し、底部から外に延伸してストッパを形成して装着面を制止し、固定式自動輸液加圧器が落下するのを防止する。
【考案の効果】
【０００７】
　送気圧力を一定に保持させることにより、患者の生命の安全に最良の保障が得られ、且つ、固定式設置と小体積で、ぶつかったり度重なる着脱による損壊の確率を減少できるとともに、医療人員の看護時間と人力資源を節約できる。
【考案を実施するための最良の形態】
【０００８】
　本考案を実施するための最良の形態を図に沿って説明する。
　図３に示すように、本考案は機械部６、カバー７、固定部材８及びスライド式固定器９から構成する。
　図２、図４及び図３に示すように、本考案の固定式自動輸液加圧器１０は、以下から構成する。
【０００９】
　機械部６を具え、内部に送気バルブ６１、圧力器６２、圧力ゲージ６３、送気コネクタメス部６４を設け、送気バルブ６１の一端を送気コネクタメス部６４に連結し、別の一端を送気管コネクタ６８に連結し、送気管コネクタ６８は送気管６９を通じて輸液加圧バッグ１に接続し、その一側は送気管６５を通じて圧力ゲージ６３に接続して気圧数値を表示し、別の一側は送気管６５を通じて圧力器６２に接続して、設定した一定気圧に調節維持し、別の一面に調節ダイヤル６６を形成して送気バルブ６１を調節して流入する気体圧力を制御する。機械部６の背面の適当な位置に係合部６７を設け、係合部上にネジ孔６７１を設けてカバー７をネジ固定できるようにする。
【００１０】
　カバー７を具え、ネジ固定部材７２によって上記機械部６背面に係合し、中央の適当な箇所に孔７１を設けて上記機械部６内の送気コネクタメス部６４に対応させる。
　固定部材８を具え、その一側に送気コネクタオス部８１を設け、カバー７の孔７１を通って機械部６内の送気コネクタメス部６４にネジ接続し、固定部材８下側に接続管８２を接続し、その接続管８２の一端に送気プラグ８３を設け、送気ソケット８５に接続して気体が接続管８２、送気コネクタオス部８１を通じて送気コネクタメス部６４内に注入するようにする。固定部材８の別の一側を装着面８４として、装着面８４の二側辺から延伸してスライダ８４１を形成し、スライド式固定器９のレール９３上に嵌入するようにする。
【００１１】
　スライド式固定器９を具え、その中間の適当な箇所に収容部９２を形成して固定部材８の装着面８４を挿入し、スライド式固定器９の二側辺から内側に彎曲してレール９３を形成し、上記のスライダ８４１嵌入に供し、底部から外向きに延伸してストッパ９１を形成して装着面８４を制止できるようにする。
【００１２】
　上記に加え、送気コネクタメス部６４及び送気コネクタオス部８１上にそれぞれ対応するネジ溝６４１とネジ山８１１を設けて、相互に回し込み接続するようにする。圧力器６２の一端にノブ６２１を設け、圧力器６２の漏気率を調整する。輸液加圧バッグ１の上方に設ける独立圧力ゲージ２は機械部６の気体と通じているため、機械部６の圧力ゲージ６３と等しい気圧数値を示し、機械部６の圧力ゲージ６３によって独立圧力ゲージ２の気圧数値を監視制御できる。
　送気バルブ６４下方に設ける送気管コネクタ６８の一側にバルブ開閉器６８１を設けて、送気バルブ６１内の気体が送気管６９を通って、輸液加圧バッグ１内へ気体が注入されるのを開閉する。
　図７に示すように、送気管６９末端に一対二、一対三、一対四などの多分岐ジャンクション６９１を接続して、気体を複数の病床の輸液加圧バッグ１内に注入し、同時多数バッグ使用を形成することができる。固定部材８下に設ける送気プラグ８３の一側に送気開閉器８３１を設けて、気体の流入を開閉する。
【００１３】
　本考案を使用する際には、本考案の固定式自動輸液加圧器１０をベッド頭部の横式集中装置のスライド式固定器９に挿入固定し、輸液加圧バッグ１を接続し、点滴液或いは血液などの液体バッグを輸液加圧バッグ１の後に挿入装填する。この時、輸液加圧バッグ１に独立圧力ゲージ２を接続し、輸液加圧バッグ１をハンガーに吊り下げ、固定部材８の送気プラグ８３を病室に設けてある送気ソケット８５に接続し、送気開閉器８３１を開いて気体が接続管８２、送気コネクタオス部８１を通って送気コネクタメス部６４内に注入するようにし、送気コネクタメス部６４を経て送気バルブ６１内に気体を流入させ、気体が送気管６５及び接続送気管６９を経て圧力器６２、圧力ゲージ６３及び輸液加圧バッグ１内にそれぞれ流入するようにする。その後調整ダイヤル６６を回して所要圧力（例えば３００ｍｍＨｇ）に設定する。送気圧力が不足する場合には、図５に示すように、機械部６内の圧力器６２が自動的に不足気圧を補充し、図６に示すように輸液加圧バッグ１内の圧力が高すぎるときは、圧力器６２が自動的に降圧し、所定の気圧（３００ｍｍＨｇ）に戻す。
【図面の簡単な説明】
【００１４】
【図１】公知の輸液加圧バッグの組立略図である。
【図２】本考案の分解略図である。
【図３】本考案の組立略図である。
【図４】本考案の機械部平面略図である。
【図５】本考案の送気圧力動作の略図（１）である。
【図６】本考案の送気圧力動作の略図（２）である。
【図７】本考案の別の実施例の略図である。
【符号の説明】
【００１５】
１    輸液加圧バッグ
２    独立圧力ゲージ
３    接続管
４    送気管
５    公知の輸液加圧器
５１  送気管コネクタ
６    機械部
６１  送気バルブ
６２  圧力器
６２１ ノブ
６３  圧力ゲージ
６４  送気コネクタメス部
６４１ ネジ溝
６５  送気管
６６  調節ダイヤル
６７  係合部
６７１ ネジ孔
６８  送気管コネクタ
６８１ バルブ開閉器
６９  接続送気管
６９１ ジャンクション
７    カバー
７１  孔
７２  ネジ固定部材
８    固定部材
８１  送気コネクタオス部
８１１ ネジ山
８２  接続管
８３  送気プラグ
８３１ 送気開閉器
８４  装着面
８４１ スライダ
８５  送気ソケット
９    スライド式固定器
９１  ストッパ
９２  収容部
９３  レール
１０  固定式自動輸液加圧器
【図１】
0003100415.tif 000003
【図２】
0003100415.tif 000004
【図３】
0003100415.tif 000005
【図４】
0003100415.tif 000006
【図５】
0003100415.tif 000007
【図６】
0003100415.tif 000008
【図７】
0003100415.tif 000009